(57)【特許請求の範囲】
【請求項１】
炊飯用釜の開口に装着して用いる洗米水切り器具であって、
前記炊飯用釜の内周面に沿うように設けられた支持部と、
この支持部の底部側に設けられ、前記炊飯用釜の開口の一部を覆うろ過部と、
前記支持部の上部側に設けられ、外側に向かい突出された鍔部と、
前記支持部の内側に間隔を開けて設けられ、指を入れるための一対のポケット部と
を備えたことを特徴とする洗米水切り器具。
【請求項２】
前記鍔部の上に、泡だて部を外側に向けて、泡だて器が取り付けられたことを特徴とする請求項１記載の洗米水切り器具。
【請求項３】
前記支持部は柔軟性のある材料により構成されると共に、前記ろ過部は伸縮性又は柔軟性のある材料により構成されたことを特徴とする請求項１又は請求項２記載の洗米水切り器具。
【請求項４】
前記支持部の外周面の少なくとも一部には、弾性部材が配設されたことを特徴とする請求項１から請求項３のいずれか１に記載の洗米水切り器具。
【発明の詳細な説明】
【技術分野】
【０００１】
本発明は、米を洗う際に用いることができる洗米水切り器具に関する。
【背景技術】
【０００２】
米を洗う際には、一般に、炊飯用釜に米と水を入れて手でとぎ、米が流れないように静かに炊飯用釜を傾け、必要に応じて炊飯用釜の開口に手をあてて水を捨てている。しかし、この方法では、米を流さずに水を十分に流し出すことが難しく、とぎ汁が残ってしまう。また、炊飯用釜を静かに傾けなければならないので、時間と手間がかかり、面倒であった。更に、手が濡れてしまうので煩わしく、特に冬場には水が冷たく大変であった。そこで、炊飯用釜の開口の一部を水切りネットで塞ぐ食品用水切り具が提案されている（特許文献１参照）。この食品用水切り具は、水切りネットと、水切りネットを炊飯用釜に固定する固定バンドとを有し、炊飯用釜の開口の上に水切りネットを置き、固定バンドを炊飯用釜の外側に巻き付けて用いるものである。
【先行技術文献】
【特許文献】
【０００３】
【特許文献１】実用新案登録第３０２９６９３号
【発明の概要】
【発明が解決しようとする課題】
【０００４】
しかしながら、この食品用水切り具では、着脱に手間がかかり、しかも、取り外し時に水切り具に付着した水で手が濡れてしまうという問題があった。また、炊飯用釜の外側から水切りネットを固定するので、炊飯用釜の開口端部において水切りネットにより米と水が分離される。よって、水切りネットと炊飯用釜の開口端部との間に米が挟まりやすく、水切りネットを取り外す時に米が炊飯用釜の外側に飛散しやすいという問題があった。更に、炊飯用釜の径は製品により炊飯容量が同じでも若干異なるので、水切り具を炊飯用釜に密着させることが難しく、取り扱いが不便で、米が飛散しやすいという問題もあった
【０００５】
また、手を濡らさずにとぐ方法としては、泡だて器を用いる方法もあるが、泡だて器と水切り具とが別体となっているので、泡だて器と水切り具とをそれぞれ用意し、とぐ時は泡だて器、水を流す時は水切り具と持ちかえなければならない。よって、面倒であり、利便性に欠けるという問題があった。
【０００６】
本発明は、このような問題に基づきなされたものであり、第１の目的は、米の飛散を防止し、手早く洗米することができる洗米水切り器具を提供することである。
【０００７】
第２の目的は、手を濡らさず簡便に洗米をすることができる洗米水切り器具を提供することである。
【０００８】
第３の目的は、炊飯用釜の径が製品により若干異なっても、容易に密着させることができる洗米水切り器具を提供することである。
【課題を解決するための手段】
【０００９】
本発明の洗米水切り器具は、炊飯用釜の開口に装着して用いるものであって、炊飯用釜の内周面に沿うように設けられた支持部と、この支持部の底部側に設けられ、炊飯用釜の開口の一部を覆うろ過部と、支持部の上部側に設けられ、外側に向かい突出された鍔部と、支持部の内側に間隔を開けて設けられ、指を入れるための一対のポケット部とを備えものである。
【発明の効果】
【００１０】
本発明の洗米水切り器具によれば、炊飯用釜の内周面に沿うように設けられた支持部の底部側にろ過部を設けるようにしたので、炊飯用釜の内側において、開口端部よりも底部側の低い位置でろ過部により米と水とを分離することができる。よって、炊飯用釜の中でろ過部に付着した米を落とすことができ、米が炊飯用釜の外側に飛散してしまうことを防止することができる。また、支持部の内側に間隔を開けて一対のポケット部を設けるようにしたので、例えば、炊飯用釜の開口に装着し、一対のポケット部に親指を挿入し、炊飯用釜の外側に他の指を添えて挟むことにより、炊飯用釜の内側に支持部を容易に密着させることができる。よって、米を流さず、簡単に水切りをすることができる。更に、水を切った後に、一対のポケット部に指を入れてそれらを挟むように持ち、軽く振ることにより、ろ過部に付着した米を炊飯用釜の中で簡単に落とすことができる。
【００１１】
また、鍔部の上に、泡だて部を外側に向けて、泡だて器を取り付けるようにすれば、泡だて器で米をとぎ、ろ過部で水を切ることができるので、手を濡らさずに簡単に洗米することができる。また、泡だて器が一体となっているので、泡だて器と水切り具とをそれぞれ用意する必要がなく、作業効率及び利便性を向上させることができる。
【００１２】
更に、支持部を柔軟性のある材料により構成すると共に、ろ過部を伸縮性又は柔軟性のある材料により構成するようにすれば、製品により炊飯用釜の大きさが若干異なっていても、変形させることにより、支持部を炊飯用釜に密着させることができる。
【００１３】
加えて、支持部の外周面の少なくとも一部に弾性部材を設けるようにすれば、炊飯用釜の内周面に支持部をより密着させることができ、支持部が滑って位置がずれてしまうことを防止することができる。
【図面の簡単な説明】
【００１４】
【図１】本発明の第１の実施の形態に係る洗米水切り器具の構成を表す図である。
【図２】図１に示した洗米水切り器具の使用状態を表す図である。
【図３】本発明の第２の実施の形態に係る洗米水切り器具の構成を表す図である。
【図４】図３に示した洗米水切り器具の使用状態を表す写真である。
【発明を実施するための形態】
【００１５】
以下、本発明の実施の形態について図面を参照して詳細に説明する。
【００１６】
（第１の実施の形態）
図１は、本発明の第１の実施の形態に係る洗米水切り器具１０の構成を表すものであり、（Ａ）は上から見た図、（Ｂ）はＩ方向から見た図である。図２は、図１に示した洗米水切り器具１０の使用状態を表すものであり、（Ａ）は上から見た図、（Ｂ）は傾けた状態をＩＩ−ＩＩ線に沿った断面図で表している。この洗米水切り器具１０は、炊飯用釜２０の開口に装着して用いるものであり、炊飯用釜２０の内周面に沿うように設けられた支持部１１と、この支持部１１の底部側に設けられたろ過部１２と、支持部１１の上部側に設けられた鍔部１３とを備えている。
【００１７】
支持部１１は、例えば、半円筒状の枠体１１Ａを有している。枠体１１Ａは、例えば、プラスチックなどの柔軟性を有する材料により構成されることが好ましい。炊飯用釜２０は、製品により同一の炊飯容量であっても大きさが若干異なっているので、例えば図１（Ａ）に矢印で示したように、径を変えるように変形させることにより、各種の炊飯用釜２０に対応して密着させることができるからである。枠体１１Ａの高さは、例えば、２ｃｍから７ｃｍ程度が好ましく、３ｃｍから６ｃｍ程度であればより好ましい。この程度の高さにおいて、枠体１１Ａを炊飯用釜２０の内周面に密着させるように指で押さえやすいからである。また、高さがあまり低いと、炊飯用釜２０に十分に密着させることができず、更に、米と水との分離位置が炊飯用釜２０の開口端部に近くなるので、米が炊飯用釜２０の外に飛散する可能性が生じてしまうからである。
【００１８】
支持部１１は、また、枠体１１Ａの外周面の少なくとも一部に、弾性部材１１Ｂを有していることが好ましい。炊飯用釜２０の内周面に支持部１１をより密着させることができ、支持部１１が滑って位置がずれてしまうことを防止することができるからである。弾性部材１１Ｂは、例えば、ゴム、シリコン、塩化ビニル、ポリ塩化ビニル等の耐水効果及び滑り止め効果を有するクッション性素材により構成することが好ましい。
【００１９】
ろ過部１２は、炊飯用釜２０の開口の一部を覆い、洗米時に水を流す際に、米と水とを分離するためのものである。ろ過部１２は、例えば、米を通さないネット又は小さな孔が開けられた薄板により構成され、シリコン、ゴム、ナイロン等の伸縮性を有する材料、又は、プラスチックなどの柔軟性を有する材料により構成されることが好ましい。変形することにより、各種の炊飯用釜２０に対して支持部１１を密着させるためである。
【００２０】
鍔部１３は、支持部１１から外側に向かって突出して設けられており、炊飯用釜２０の開口端部２１に係止するためのものである。鍔部１３は、例えば、枠体１１Ａと同様に、プラスチックなどの柔軟性を有する材料により構成されることが好ましい。変形することにより、各種の炊飯用釜２０に対して支持部１１を密着させるためである。鍔部１３の幅は、例えば、両端部において広く、他の部分において狭く構成されていることが好ましい。全体的に広くすると柔軟性が低下してしまうが、両端部を広くすることにより、炊飯用釜２０の上に安定して載置することができると共に、ろ過部１２についた水や米を振るって落とす際にストッパーとすることができるからである。鍔部１３の両端部の幅は、例えば、１ｃｍから３ｃｍ程度とすることが好ましく、それ以外の幅は、例えば、５ｍｍから１．５ｃｍ程度とすることが好ましい。
【００２１】
洗米水切り器具１０は、また、支持部１１の内側に間隔を開けて設けられた指を入れるための一対のポケット部１４を備えている。ポケット部１４は、例えば、支持部１１との間に空間を形成するように設けられた側板１４Ａと、支持部１１及び側板１４Ａの底部側において支持部１１及び側板１４Ａにより囲まれた空間を閉鎖する底板１４Ｂとを有している。このようなポケット部１４を設けることにより、例えば、炊飯用釜２０の開口に洗米水切り器具１０装着し、一対のポケット部１４に親指を挿入し、炊飯用釜２０の外側に他の指を添えて挟むことにより、炊飯用釜２０の内側に支持部１１を容易に密着させることができるようになっている。また、水を切った後に、一対のポケット部１４に指を入れて、図１（Ｂ）に矢印で示したようにそれらを挟むように持ち、軽く振ることにより、ろ過部１２に付着した米や水を落とすことができるようにもなっている。
【００２２】
ポケット部１４は、例えば、プラスチックにより構成されることが好ましい。また、側板１４Ａ及び底板１４Ｂは水を通さないように構成されていることが好ましい。炊飯用釜２０から水を流す際に、ポケット部１４の中に水が入り、手がぬれてしまうことを防止するためである。ポケット部１４の位置は、支持部１１の中心部を基準として、その両側の領域に１つずつ配設することが好ましい。
【００２３】
この洗米水切り器具１０は、例えば、炊飯用釜２０で米をといだ後、炊飯用釜２０の開口端部に鍔部１３を掛けて洗米水切り器具１０を載置し、一対のポケット部１４に親指を挿入し、炊飯用釜２０の外側に他の指を添えて挟む。これにより、弾性部材１１Ｂには、内側からは両手の親指より外側に向けた力が、外側からは炊飯用釜２０に接する両手の他の指より内側に向けた力が自然とかかり、炊飯用釜２０と支持部１１とが密着される。
【００２４】
次いで、支持部１１を密着させたまま炊飯用釜２０を傾けて、ろ過部１２から水を流す。その際、炊飯用釜２０と支持部１１が密着しているので、炊飯用釜２０と支持部１１との間から米や水が漏れることが防止される。また、米が飛び出さない程度に炊飯用釜２０と洗米水切り器具１０とを振って水切りを行っても、弾性部材１１Ｂにより滑り止めがされ、洗米水切り器具１０の位置ずれが防止される。よって、これらの一連の作業により、洗米作業は濃度が高い最後の一滴まで素早く簡単に水切りができる。
【００２５】
水を流し終わったら、炊飯用釜２０を元に戻し、例えば、洗米水切り器具１０の一対のポケット部１４に指を入れて、図１（Ｂ）に矢印で示したように、それらを近づける方向に挟んで持ち、鍔部１３を炊飯用釜２０の開口端部２１に当て、軽く振って炊飯用釜２０の中でろ過部１２に付着した米と水を落とし、炊飯用釜２０から取りはずす。その際、ろ過部１２は炊飯用釜２０の開口端部２１よりも下側に位置しているので、炊飯用釜２０の外側に米が飛散することが防止される。また、ポケット部１２を挟んで取りはずすことができるので、手が濡れることが防止される。
【００２６】
このように本実施の形態によれば、炊飯用釜２０の内周面に沿うように設けられた支持部１１の底部側にろ過部１２を設けるようにしたので、炊飯用釜２０の内側において、開口端部２１よりも底部側の低い位置でろ過部１２により米と水とを分離することができる。よって、炊飯用釜２０の中でろ過部１２に付着した米を落とすことができ、米が炊飯用釜２０の外側に飛散してしまうことを防止することができる。また、支持部１１の内側に間隔を開けて一対のポケット部１４を設けるようにしたので、例えば、炊飯用釜２０の開口に装着し、一対のポケット部１４に親指を挿入し、炊飯用釜２０の外側に他の指を添えて挟むことにより、炊飯用釜２０の内側に支持部１１を容易に密着させることができる。よって、米を流さず、簡単に水切りをすることができる。更に、水を切った後に、一対のポケット部１４に指を入れてそれらを挟むように持ち、鍔部１３を炊飯用釜２０の開口端部２１に当てて軽く振ることにより、ろ過部１２に付着した米を炊飯用釜２０の中で簡単に落とすことができる。
【００２７】
また、支持部１１を柔軟性のある材料により構成すると共に、ろ過部１２を伸縮性又は柔軟性のある材料により構成するようにすれば、製品により炊飯用釜２０の大きさが若干異なっていても、変形させることにより、支持部１１を炊飯用釜２０に密着させることができる。
【００２８】
更に、支持部１１の外周面の少なくとも一部に弾性部材１１Ｂを設けるようにすれば、炊飯用釜２０の内周面に支持部１１をより密着させることができ、支持部１１が滑って位置がずれてしまうことを防止することができる。
【００２９】
（第２の実施の形態）
図３は、本発明の第２の実施の形態に係る洗米水切り器具３０の構成を表すものであり、（Ａ）は上から見た図、（Ｂ）はＩＩＩ方向から見た図である。図４は、図３に示した洗米水切り器具３０の使用状態を表すものである。この洗米水切り器具３０は、鍔部１３の上に、泡だて器３１が取り付けられたことを除き、他は第１の実施の形態と同一の構成を有している。よって、同一の構成要素には同一の符号を付し、その詳細な説明は省略する。
【００３０】
泡だて器３１は、米をとぐためのものであり、例えば、把持部３１Ａと、泡立て部３１Ｂとを有している。泡だて器３１は、例えば、泡だて部３１Ｂを外側に向け、把持部３１Ａを内側に向けて、把持部３１Ａの泡だて部３１Ｂの側が鍔部１３の一方の端部に対して固定されている。把持部３１Ａは、鍔部１３と一体化されていてもよく、着脱可能とされていてもよい。また、泡だて器３１は、例えば、泡だて部３１Ｂの把持部３１Ａの側において鍔部１３に固定されていてもよい。泡だて部３１Ｂは、炊飯用釜２０を傷つけないように、ナイロン製又は金属にシリコン加工などを施したものが好ましい。
【００３１】
なお、枠体１１Ａの高さは、第１の実施の形態と同様に、例えば、２ｃｍから７ｃｍ程度が好ましく、３ｃｍから６ｃｍ程度であればより好ましい。第１の実施の形態で説明した理由に加え、高さがあまり低いと、泡だて器３１の把持部３１Ａを持った時に、ろ過部１２に手が触れて濡れてしまう場合があるからである。
【００３２】
この洗米水切り器具３０では、例えば、図４に示したように、泡だて器３１の把持部３１Ａを持って、泡だて部３１Ｂにより米をとぎ、第１の実施の形態と同様にして水を切ることができる。よって、手を濡らさずに素早く簡単に洗米することができる。また、泡だて器３１が一体となっているので、泡だて器と水切り具とをそれぞれ用意する必要がなく、作業効率及び利便性を向上させることができる。
【００３３】
以上、実施の形態を挙げて本発明を説明したが、本発明は上記実施の形態に限定されるものではなく、種々変形可能である。例えば、上記実施の形態では、鍔部１３を支持部１１の周囲全体にわたって設ける場合について示したが、間欠的に設けるようにしてもよい。また、上記実施の形態では、図３において、支持部１１を下側とした時に、泡だて器３１を鍔部１３の左側に対して固定する場合について示したが、右側に対して固定するようにしてもよい。例えば、右利きの場合には、左側に固定する方が使用しやすく、左利きの場合には、右側に固定する方が使用しやすいからである。
【産業上の利用可能性】
【００３４】
洗米に用いることができる。
【符号の説明】
【００３５】
１０，３０…洗米水切り器具、１１…支持部、１１Ａ…枠体、１１Ｂ…弾性部材、１２…ろ過部、１３…鍔部、１４…ポケット部、１４Ａ…側板、１４Ｂ…底板、２０…炊飯用釜、２１…開口端部、３１…泡だて器、３１Ａ…把持部、３１Ｂ…泡立て部
【図１】
0005594739.tif 000002
【図２】
0005594739.tif 000003
【図３】
0005594739.tif 000004
【図４】
0005594739.tif 000005